(57)【要約】【課題】  回転ドラムの駆動のための消費電流を減らすことができるよう構造の改善された磁気記録／再生装置のヘッドドラム組立体を提供する。【解決手段】  本発明の磁気記録／再生装置のヘッドドラム組立体は、シャフトに固定される固定ドラムと；固定ドラムと向かい合うようシャフトに回転自在に設置され、モータローターが支持される回転ドラムと；モータローターと向かい合うように固定ドラムに設置されるステーターと；ステーターとの間に所定のエアーギャップを有するよう固定ドラムに固定されるヨークとを含む。【選択図】      図２ 
2006040522.tif 000002
【特許請求の範囲】
【請求項１】
シャフトに固定される固定ドラムと；
前記固定ドラムと向かい合うよう前記シャフトに回転自在に設置されて、モータローターが支持される回転ドラムと；
前記モータローターと向かい合うよう前記固定ドラムに設置されるステーターと；
前記ステーターとの間に所定のエアーギャップを有するように前記固定ドラムに固定されるヨークとを含むことを特徴とする磁気記録／再生装置のヘッドドラム組立体。
【請求項２】
前記エアーギャップは０．２ｍｍないし０．４ｍｍ間であることを特徴とする請求項１に記載の磁気記録／再生装置のヘッドドラム組立体。
【請求項３】
前記固定ドラムは、
前記回転ドラムに向かい合う面に備えられ前記ステーターが安着されるステーター安着部と；
前記ステーター安着部と段差されるように形成され、前記ヨークが安着されるヨーク収容部とを有することを特徴とする請求項１または２に記載の磁気記録／再生装置のヘッドドラム組立体。
【請求項４】
前記ヨーク収容部の深さは前記ヨークより厚いことを特徴とする請求項３に記載の磁気記録／再生装置のヘッドドラム組立体。
【請求項５】
前記収容部の深さは０．７ｍｍないし１．１ｍｍであることを特徴とする請求項４に記載の磁気記録／再生装置のヘッドドラム組立体。
【発明の詳細な説明】
【技術分野】
【０００１】
本発明は磁気記録／再生装置のヘッドドラム組立体に関する。
【背景技術】
【０００２】
一般に、磁気記録／再生装置は、磁気テープのような記録媒体に情報を記録し、記録された情報を再生する装置であって、ＶＣＲ（ビデオカセットテープレコーダ）、カムコーダ等がある。
【０００３】
前記磁気記録／再生装置はメインデッキと、このメインデッキに摺動自在に設置されるサブデッキと、前記メインデッキに回転自在に設置され磁気テープに情報を記録／再生するヘッドドラム組立体と、前記磁気テープの走行をガイドするテープガイド手段などを備える。
【０００４】
前記ヘッドドラム組立体は、記録／再生機能を向上させることのできるよう通常メインデッキに対して所定の角度傾いた状態で回転自在に設置される。このようなヘッドドラム組立体の一例が図１に示されている。
【０００５】
図１を参照すると、シャフト１０に固定ドラム１１が設置される。前記固定ドラム１１に向かい合うよう回転ドラム１２がシャフト１０に回転自在に設置される。回転ドラム１２には、走行する磁気テープをスキャニングして情報を記録／再生する磁気ヘッド１３が支持される。そして、回転ドラム１２の上部にはドラムカバー１４がシャフト１０に固定されている。回転ドラム１２とドラムカバー１４それぞれには磁気ヘッド１３から読み込んだ信号を伝達するための回転トランスファー１５と固定トランスファー１６が設置される。
【０００６】
回転ドラム１２にはモータローター１７が設置され、固定ドラム１１にはモータローター１７と向かい合うステーター１８が設置される。モータローター１７はマグネットでステーター１８との相互作用により回転ドラム１２を回転させる駆動力を発生させる。
【０００７】
また、ステーター１８の下部にはヨーク１９が設置されている。このヨーク１９はステーター１８から発生される磁気力を集束させることで、回転ドラム１２を回転させるための電流特性が改善されるよう備えられる。
【０００８】
一方、最近には前記ヘッドドラム組立体が採用される磁気記録／再生装置の場合、携帯できるように小型化、軽量化される傾向である。これによって用いるバッテリーのサイズにも多くの制約が伴なう。それにも拘わらず、バッテリーの寿命を増やすために多様な試みが行われている。このような点に照らしてみる時、前記ヘッドドラム組立体を駆動させるための消費電流を改善させることで、バッテリーの使用時間を延長させることができる方法も切実に要求されている。
【発明の開示】
【発明が解決しようとする課題】
【０００９】
本発明は前記のような問題点を解決するために創案されたことであって、回転ドラムの駆動のための消費電流を減らすことができるよう構造の改善された磁気記録／再生装置のヘッドドラム組立体を提供することにその目的がある。
【課題を解決するための手段】
【００１０】
前記目的を達成するための本発明による磁気記録／再生装置のヘッドドラム組立体は、シャフトに固定される固定ドラムと；前記固定ドラムと向かい合うように前記シャフトに回転自在に設置されて、モータローターが支持される回転ドラムと；前記モータローターと向かい合うように前記固定ドラムに設置されるステーターと；前記ステーターとの間に所定エアーギャップを有するように前記固定ドラムに固定されるヨークとを含むことを特徴とする。
【００１１】
ここで、前記エアーギャップは０．２ｍｍないし０．４ｍｍ間であることが望ましい。
【００１２】
また、前記固定ドラムは、前記回転ドラムに向かい合う面に備えられ前記ステーターが安着されるステーター安着部と；前記ステーター安着部と段差されるように形成されて前記ヨークが安着されるヨーク収容部とを有することが良い。
【００１３】
また、前記ヨーク収容部の深さは前記ヨークの厚さより大きいことが良い。
【００１４】
また、前記収容部の深さは０．７ｍｍないし１．１ｍｍであることが良い。
【発明の効果】
【００１５】
本発明の磁気記録／再生装置のヘッドドラム組立体によれば、モータステーターとヨーク間にエアーギャップを用意することで、ヘッドドラム組立体の駆動のための消費電流を減らすことができるようになる。
【００１６】
したがって、ヘッドドラム組立体が採用される機器のバッテリー使用時間を延長させることができる利点がある。
【発明を実施するための最良の形態】
【００１７】
以下、添付した図面に基づいて本発明の実施形態による磁気記録／再生装置のヘッドドラム組立体を詳細に説明する。
【００１８】
（実施形態）
図２を参照すると、本発明の実施形態による磁気記録／再生装置のヘッドドラム組立体は、シャフト２０に固定される固定ドラム３０と、固定ドラム３０の上部に回転自在に設置される回転ドラム４０と、回転ドラム４０の上部に設置されるドラムカバー５０、及び回転ドラム４０を回転させるための駆動部６０を備える。
【００１９】
固定ドラム３０はシャフト２０に挟まれて固定される。回転ドラム４０は固定ドラム３０と向かい合うよう対向するようシャフト２０に結合される。ベアリング７０が回転ドラム４０とシャフト２０との間に設けられる。
【００２０】
また、回転ドラム４０には走行する磁気テープをスキャニングして磁気テープに情報を記録したり、記録された情報を再生するための磁気ヘッド８０が支持される。
【００２１】
ドラムカバー５０は回転ドラム４０の上部に位置されて、シャフト２０に挟まれて固定される。ドラムカバー５０と回転ドラム４０それぞれには磁気ヘッド８０で読み込んだ情報の伝達のための固定トランスファー９１と、ロータリートランスファー９３が設置される。
【００２２】
駆動部６０は回転ドラム４０に設置されるモータローター６１と、固定ドラム３０に設置されるモータステーター６３を備える。
【００２３】
モータローター６１はドーナッツ型のマグネットで、回転ドラム４０に設置されたローターケース６２に支持される。
【００２４】
モータステーター６３はモータローター６１に所定距離を置いて向かい合うように固定ドラム２０に設置される。モータステーター６３はＰＣＢ上にＦＰコイル（Ｆｉｎｅ  Ｐａｔｔｅｒｎ  Ｃｏｉｌ）が備えられた構造であり得る。
【００２５】
また、モータステーター６３の下側にはヨーク６５が設置される。このヨーク６５は固定ドラム２０に接着剤などにより付着して固定される。
【００２６】
一方、図３を参照すると、モータステーター６３とヨーク６５間には所定エアーギャップＧが形成される。エアーギャップＧは０．２ｍｍないし０．４ｍｍ間で形成されることが望ましい。このように、前記エアーギャップＧを備えるために固定ドラム２０は次のような構造を有することが好ましい。
【００２７】
すなわち、固定ドラム２０の回転ドラム４０に向かい合う上側にはモータステーター６３が安着されるステーター安着部２１が形成される。そして、ステーター安着部２１より内側にヨーク６５が受容されるヨーク収容部２３が所定の深さで形成される。ステーター安着部２１とヨーク収容部２３は相互に段差されるように形成される。ヨーク収容部２３の深さＨは０．７ｍｍないし１．１ｍｍであることが望ましい。なお、ヨーク６５の厚さＴは０．５ｍｍないし０．７ｍｍ間であることが望ましい。
【００２８】
前記のような構造によれば、ヨーク６５とローターステーター６３間にはエアーギャップＧが形成されるように組立てることができ、そのエアーギャップＧを適正値で保つことができる。
【００２９】
前記構成を有する本発明の実施形態によるヘッドドラム組立体の場合、ヨーク６５とローターステーター６３間に所定サイズのエアーギャップＧが形成されているため、ローターステーター６３で発生する磁気力を増加させることができる。このように、磁気力を増大させることができる要素が備えられれば、同一な駆動力を発生させるために少ない消費電流で済む。したがって、従来に比べてヘッドドラムを回転駆動させるため消費電流を減らすことができる。
【００３０】
このような結果は次の表１のように、従来技術と本願発明の実施形態を比較した実験により具体的に分かる。
【００３１】
【表１】
2006040522.tif 000003
表１はヘッドドラム組立体単品を駆動させるために消費される電流をエアーギャップＧのサイズを相違にして実験した結果を示したものである。表１から分かるように、エアーギャップＧのなかった従来に比べて所定サイズのエアーギャップＧが形成された実験１ないし実験３においては消費電流が減少したことが分かる。特に、エアーギャップＧが０．３ｍｍの時、消費特性が最も良い。この場合、従来より実に３０％の消費電流を改善させる効果を期待できるため、結果的にバッテリーの使用時間を延長させることができる効果が挙げられる。
【００３２】
このような実験を介して、結局、前記エアーギャップＧは望ましくは０．３ｍｍで維持させることが好ましく、少なくとも０．２ｍｍないし０．４ｍｍ間で制御することが消費電流特性を向上させるためにより効果的である。
【産業上の利用可能性】
【００３３】
本発明は磁気記録／再生装置は、磁気テープを利用して情報を保存及び再生させる記録／再生装置、例えば、キャムコーダ、ＶＴＲなどにすべて適用できる。
【図面の簡単な説明】
【００３４】
【図１】従来の磁気記録／再生装置のヘッドドラム組立体を示した断面図である。
【図２】本発明の実施形態による磁気記録／再生装置のヘッドドラム組立体を示した概略的な断面図である。
【図３】図２に示した固定ドラムを抜萃して示した断面図である。
【符号の説明】
【００３５】
２０  シャフト
３０  固定ドラム
４０  回転ドラム
５０  ドラムカバー
６０  駆動部
６１  モータローター
６３  モータステーター
６５  ヨーク
７０  ベアリング
８０  磁気ヘッド
【図１】
2006040522.tif 000004
【図２】
2006040522.tif 000005
【図３】
2006040522.tif 000006